(57)【特許請求の範囲】
【請求項１】
リチウムイオン電池を製造する方法であって、
正電流コレクター、第１の活性物質、および第２の活性物質を含んだ正極を形成する工程；および
負電流コレクターと第３の活性物質を含んだ負極であって、該第３の活性物質がチタン酸リチウム物質を含む負極を形成する工程、
を含み、
ここで、該第１の活性物質が、リチウムを含む化合物を含み、かつ、該負電流コレクターの腐食電位より高い電位で充放電能力を示し；
該第２の活性物質が、電気化学的にサイクル可能なリチウムを供給された状態では含まない該第２の活性物質の前駆体物質のリチウム化形を含む結果、該第２の活性物質が、添加された電気化学的にサイクル可能なリチウムを構成された状態で含むことになるものであり、かつ該第２の活性物質が、負電流コレクターの腐食電位より低くて該第１の活性物質の分解電位より高い電位で充放電能力を示すものであり；
該第２の活性物質が、該第１の活性物質の不可逆容量と該第３の活性物質の不可逆容量との差に少なくとも等しい容量を有する結果、該電池のゼロ電圧交差電位が、該負電流コレクターの腐食電位より低くて該第１の活性物質の分解電位より高くなるものであり；そして
該負極を形成する工程が、該電池の組み立て前に、電気化学的にサイクル可能なリチウムを、該前駆体物質に、以下のプロセス：（１）ブチルリチウムを該前駆体物質に添加する；（２）該前駆体物質をリチウム源と（接触）させる；（３）電解質中に存在するリチウムイオンが該前駆体物質中に挿入される電解プロセスを用いる；（４）リチウムを不可逆的に供与するリチウム含有化合物を該前駆体物質に添加する；または（５）微細もしくは粉末状のリチウムを該前駆体物質に添加する、のうちの一つにより添加することを含む方法。
【請求項２】
請求項１記載の方法であって、該電気化学的にサイクル可能なリチウムが、該前駆体物質に、ブチルリチウムを該前駆体物質に添加することにより添加される方法。
【請求項３】
請求項１記載の方法であって、該電気化学的にサイクル可能なリチウムが、該前駆体物質に、該前駆体物質をリチウム源と接触させることにより添加される方法。
【請求項４】
請求項３記載の方法であって、該リチウム源が金属リチウムである方法。
【請求項５】
請求項１記載の方法であって、該電気化学的にサイクル可能なリチウムが、該前駆体物質に、電解質中に存在するリチウムイオンが該前駆体物質中に挿入される電解プロセスを用いることにより添加される方法。
【請求項６】
請求項１記載の方法であって、該電気化学的にサイクル可能なリチウムが、該前駆体物質に、リチウムを不可逆的に供与するリチウム含有化合物を該前駆体物質に添加することにより添加される方法。
【請求項７】
請求項１記載の方法であって、該電気化学的にサイクル可能なリチウムが、該前駆体物質に、微細もしくは粉末状のリチウムを該前駆体物質に添加することにより添加される方法。
【発明の詳細な説明】
【技術分野】
【０００１】
本発明は、一般にはリチウムイオン電池の分野に関する。具体的には本発明は、過放電
状態に対して比較的耐性のあるリチウムイオン電池に関する。
【０００２】
リチウムイオン電池は、活性物質(たとえばLiCoO2)を表面上に組み込んだ正電流コレク
ター(たとえば、アルミニウム箔等のアルミニウム)、および活性物質(たとえば、グラフ
ァイト等の炭素質物質)を表面上に組み込んだ負電流コレクター(たとえば、銅箔等の銅)
を含む。正電流コレクターとその表面上に組み込まれた活性物質を合わせて正極と呼び、
また負電流コレクターとその表面上に組み込まれた活性物質を合わせて負極と呼ぶ。
【０００３】
図1は、上記のようなリチウムイオン電池10の一部の概略図を示している。リチウムイ
オン電池10は、正電流コレクター22と正極活性物質24とを含んだ正極20、負電流コレクタ
ー32と負極活性物質34とを含んだ負極30、電解質物質40、および正極20と負極30との中間
もしくは間に設けられているセパレーター〔たとえば、ポリマー微孔質セパレーター(図
示せず)〕を含む。電極20と30は、比較的フラットもしくは平面状のプレートとして供給
されてもよいし、あるいはスパイラル構造もしくは他の構造(たとえば卵形構造)にて包装
または巻きつけられていてもよい。電極はさらに、折りたたみ構造で供給されてもよい。
【０００４】
電池10の充電時と放電時においては、リチウムイオンが正極20と負極30との間を移動す
る。たとえば、電池10が放電しているときは、リチウムイオンが負極30から正極20に流れ
る。一方、電池10が充電されているときは、リチウムイオンが正極20から負極30に流れる
。
【０００５】
図2は、従来のリチウムイオン電池に対する理論的な充電挙動と放電挙動を示している
グラフ100である。曲線110は、LiCoO2活性物質を表面上に組み込んだアルミニウム電流コ
レクターを含む正極に関して、リチウム基準電極に対する電極電位を示しており、一方、
曲線120は、炭素質活性物質を表面上に組み込んだ銅電流コレクターを含む負極に関して
、リチウム基準電極に対する電極電位を示している。曲線110と120との間の差が全セル電
圧を表わしている。
【０００６】
図2に示されているように、フル容量にまで初期充電すると、曲線110からわかるように
、正極の電位が、約3.0ボルトから、負極を作製するのに使用される銅の腐食電位(点線12
2で表示)より上のポイントにまで増大する。負極の電位は、約3.0ボルトから、アルミニ
ウム電流コレクター上に組み込まれているLiCoO2活性物質の分解電位(点線112で表示)よ
り下のポイントにまで低下する。初期充電すると、電池は、負電流コレクター上に不動態
化層が形成される〔固体-電解質界面(“SEI”)と呼ばれることもある〕ことで容量の不可
逆的な低下を受ける。容量の不可逆的な低下が、曲線120における出っ張りもしくは棚124
として示されている。
【０００７】
従来のリチウムイオン電池が有する1つの難点は、このような電池をゼロボルト付近の
ポイントにまで放電させると、電池は、供給可能な容量(deliverable capacity)の低下を
、ならびに負極電流コレクター(銅)の、そしておそらくは使用される物質の種類と電池ケ
ースの極性に応じて電池ケースの腐食を示すことがある、という点である。図2に示され
ているように、電池を初期充電した後、電池の電圧をゼロボルト(すなわち、ゼロパーセ
ントの容量)に近づけるという電池の放電を引き続き行うと、点線126で示される経路に従
った負極電位となる。図2に示されているように、負極電位は、負電流コレクターの銅腐
食電位(銅の場合は約3.5ボルトであり、図2の点線122で示されている)において平らに又
は横ばい状態になっている。
【０００８】
曲線110と120が交差するポイントはゼロ電圧交差電位(zero voltage crossing potenti
al)と呼ばれることがあり、ゼロに等しいセル電圧に相当する(すなわち、2つの曲線間の
差が、このポイントにおいてゼロに等しい)。銅腐食電位において起こる銅電流コレクタ
ーの分解のために、負電流コレクターに使用される銅物質が、セルがゼロ電圧状態に達す
る前に腐食され、この結果、供給可能な容量の低下を示す電池が得られる。
【０００９】
図2は、電池がゼロ電圧構造に近づいたときに、負電流コレクターの腐食を受けること
がある電池の、理論的な充電挙動と放電挙動を示しているけれども、理解しておかなけれ
ばならないことは、正電流コレクター上の活性物質が、ほぼゼロ電圧の状態において分解
するケースもある、という点である。このようなケースにおいては、リチウム基準電極に
対する正極の理論的な充電電位と放電電位が、正極活性物質の分解電位にまで低下し(図2
のライン112に示す)、このポイントにおいて正極活性物質が分解し、したがってその後の
過放電状態に対する保護が低下する可能性がある。
【００１０】
リチウムイオン電池に対する損傷は低電圧状態の場合に起こることがあるので、従来の
リチウムイオン電池は保護回路を含んでよく、および/または、電池からのカレント・ド
レイン(current drain)を実質的に減少させる(たとえば、電池との接続を切ることによっ
て)保護回路を含んだデバイスにおいて使用することができる。
【００１１】
医療デバイス業界は、患者の病状を処置するための多種多様な電子機械デバイスを製造
している。病状に応じて、医療デバイスは、処置を受ける患者に外科的に埋め込むことも
できるし、あるいは処置を受ける患者に対して外部に接続することもできる。臨床医は、
患者の病状を処置するのに、医療デバイスを単独で、あるいは薬物療法および外科手術と
組み合わせて使用する。幾つかの病状に対しては、より健康的な状態とより充実した生活
を個人に取り戻させるために、医療デバイスが最良の、そして場合によっては唯一の療法
をもたらす。
【００１２】
このような医療デバイス(埋め込み可能な医療デバイスを含む)に対して電池パワーの供
給源を組み込むのが望ましい。このような場合においては、再充電することができる電池
を提供するのが有利である。さらに、その後の充電操作と放電操作にて電池の性能が低下
するような、電池が損傷を受けることのある実質的なリスクなしに(たとえば、電池ケー
スの電極の一方が腐食することなく、また正極活性物質が分解することなく、等々)、ほ
ぼゼロ電圧の状態にまで放電することができる電池を提供するのが有利である。
【００１３】
供給可能な容量の量がその後に低下することなく、あるいは負極または電池ケースの腐
食を生じることなく、ほぼゼロ電圧にまで放電することができる電池(たとえばリチウム
イオン電池)を提供するのが有利である。さらに、電池性能に対してそれほどの低下を起
こすことなく、電池が、ほぼゼロ電圧の状態において使用可能となるよう、電池の初期充
電から生じる容量の不可逆的な損失を補償する電池を提供するのが有利である。さらに、
これらの又は他の有利な特徴のいずれか1つ以上を含んだ電池を使用する医療デバイス(た
とえば、埋め込み可能な医療デバイス)を提供するのが有利である。
【発明の概要】
【００１４】
代表的な実施態様は、正電流コレクターと第1の活性物質と第2の活性物質とを含んだ正極を含む電池に関する。電池はさらに、負電流コレクターと第3の活性物質を含んだ負極を含み、このとき第3の活性物質はチタン酸リチウム物質を含む。第1の活性物質、第2の活性物質、および第3の活性物質は、リチウムイオンのドーピングと脱ドーピングが可能となるように構成されている。第2の活性物質は、負電流コレクターの腐食電位より低くて第1の活性物質の分解電位より高い電位で充放電能力を示す。
【００１５】
図1は、従来のリチウムイオン電池の概略断面図である。
【００１６】
図2は、図1に概略的に示されているような従来のリチウムイオン電池に対する理論的な
充電挙動と放電挙動を示しているグラフである。
【００１７】
図3は、代表的な実施態様によるリチウムイオン電池の一部の概略断面図である。
【００１８】
図4は、他の代表的な実施態様によるリチウムイオン電池の一部の概略断面図である。
【００１９】
図5は、図3に示したようなリチウムイオン電池に対する理論的な充電挙動と放電挙動を
示しているグラフである。
【００２０】
図6は、患者の体内もしくは胴体内に埋め込まれた埋め込み可能な医療デバイスの形態
のシステムの概略図である。
【００２１】
図7は、埋め込み可能な医療デバイスの形態の、他のシステムの概略図である。
【代表的な実施態様の詳細な説明】
【００２２】
図3を参照すると、代表的な実施態様にしたがって、リチウムイオン電池200の一部の概
略断面図が示されている。代表的な実施態様によれば、電池200は、約10〜1000ミリアン
ペア時(mAh)の定格を有する。他の代表的な実施態様によれば、電池は約100〜400mAhの定
格を有する。他の代表的な実施態様によれば、電池は約300mAhの電池である。他の代表的
な実施態様によれば、電池は約75mAhの電池である。
【００２３】
電池200は、少なくとも1つの正極210と少なくとも1つの負極220を含む。これらの電極
は、電池200のフラットもしくは平面状の部材として供給されてもよいし、スパイラル構
造もしくは他の構造にて巻きつけられていてもよいし、あるいは折りたたみ構造で供給さ
れてもよい。たとえば、これらの電極は、比較的プリズム状の電池ケースに挿入すべく卵
形巻き付けコイルを形成するよう、比較的矩形のマンドレルの周りに包装されていてもよ
い。他の代表的な実施態様によれば、電池は、ボタンセル電池構造物として供給されても
、薄膜固体電池構造物として供給されても、あるいは他のリチウムイオン電池構造物とし
て供給されてもよい。
【００２４】
電池ケース(図示せず)は、ステンレス鋼や他の金属で製造することができる。代表的な
実施態様によれば、電池ケースは、チタン、アルミニウム、またはこれらの合金で製造す
ることができる。他の代表的な実施態様によれば、電池ケースは、プラスチック材料やプ
ラスチック-ホイルラミネート材料(たとえば、ポリオレフィン層とポリエステル層との中
間にアルミニウム箔が組み込まれている)を使用して製造することができる。
【００２５】
代表的な実施態様によれば、ニッケルもしくはニッケル合金を含んだ部材またはタブに
よって、負極をステンレス鋼ケースに連結する。アルミニウムもしくはアルミニウム合金
を含んだ部材またはタブは、正極に連結もしくは貼付することができる。代表的な実施態
様によれば、ニッケルタブとアルミニウムタブは、電池のための端子として機能してよい
。
【００２６】
種々の代表的な実施態様によれば、電池200の寸法は異なっていてよい。たとえば、比
較的プリズム状の電池ケース中に電極を組み込むことができるよう電極が巻き付けられて
いるという1つの代表的な実施態様によれば、電池は、約30〜40mm×約20〜30mm×約5〜7m
mの寸法を有する。他の代表的な実施態様によれば、電池の寸法は約20mm×20mm×3mmであ
る。他の代表的な実施態様によれば、電池は、約30mmの直径と約3mmの厚さを有するボタ
ンセル型電池の形態にて供給することができる。当業者には言うまでもないことであるが
、本明細書に記載のこのような寸法と構造は単に例示のためのものであって、本明細書に
記載の新規概念にしたがって、種々のサイズ、形状、および構造を有する電池を製造する
ことができる。
【００２７】
リチウムイオンが移動する媒体を供給するために、正極と負極との中間もしくは間に電
解質230が組み込まれている。代表的な実施態様によれば、電解質は液体(たとえば、リチ
ウム塩を1種以上の非水性溶媒中に溶解して得られる溶液)であってよい。代表的な実施態
様によれば、電解質は、ポリ(エチレンオキシド)やシリコーン等のポリマー物質中にリチ
ウム塩を溶解して得られる溶液であってよい。他の代表的な実施態様によれば、電解質は
、N-メチル-N-アルキルピロリジニウムビス(トリフルオロメタンスルホニル)イミド塩等
のイオン性液体であってもよい。他の代表的な実施態様によれば、電解質は、リチウムホ
スホラスオキシナイトライド(LiPON)等のリチウムイオン伝導性ガラスのような固体電解
質であってもよい。
【００２８】
他の代表的な実施態様によれば、他の種々の電解質を使用することができる。たとえば
、代表的な実施態様によれば、電解質は、エチレンカーボネート(EC)とジエチレンカーボ
ネート(DEC)の1:1混合物をLiPF6の1.0M塩中に混合して得られる物質であってよい。他の
代表的な実施態様によれば、電解質は、ポリプロピレンカーボネート溶媒とリチウムビス
-オキサラートボラート塩を含んでよい(LiBOBと呼ばれることがある)。他の代表的な実施
態様によれば、電解質は、PVDFコポリマー、PVDF-ポリイミド物質、有機ケイ素ポリマー
、熱重合によるゲル、放射線硬化によるアクリラート、ポリマーゲルを含んだ粒状物、無
機ゲルポリマー電解質、PVDFゲル、ポリエチレンオキシド(PEO)、ガラスセラミック電解
質、リン酸塩ガラス、リチウム伝導性ガラス、リチウム伝導性セラミック、および無機イ
オン性液体ゲルなどの1種以上を含んでよい。
【００２９】
正極210と負極220との中間もしくは間にセパレーター250が組み込まれている。代表的
な実施態様によれば、セパレーター250は、電解質とリチウムイオンがセパレーターの一
方の側から他方の側に流れるのを可能にすべく形成された微小孔を含んだ、ポリプロピレ
ン/ポリエチレンコポリマー多層積層物や他のポリオレフィン多層積層物等のポリマー物
質である。代表的な実施態様によれば、セパレーター250の厚さは約10マイクロメートル(
μm)〜約50μmである。特定の代表的な実施態様によれば、セパレーター250の厚さは約25
μmであり、セパレーターの平均孔径は約0.02μm〜約0.1μmである。
【００３０】
正極210は、金属等の導電性物質で造られた電流コレクター212を含む。代表的な実施
態様によれば、電流コレクター212はアルミニウムまたはアルミニウム合金を含む。代表
的な実施態様によれば、電流コレクター212の厚さは約5μm〜約75μmである。特定の代表
的な実施態様によれば、電流コレクター212の厚さは約20μmである。理解しておかねばな
らないことは、正電流コレクター212が薄い箔物質として図示されているけれども、種々
の代表的な実施態様によれば、正電流コレクターは、多種多様な他の構造物のいずれであ
ってもよいという点である。たとえば、正電流コレクターは、メッシュグリッド、エキス
パンデッドメタルグリッド、または光化学エッチンググリッド等のグリッドであってよい
。
【００３１】
電流コレクター212は、活性物質216の層をその上に設けている(たとえば、電流コレク
ターの表面が被覆されている)。図3は、活性物質214の層が、電流コレクター212の一方の
側だけに設けられていることを示しているけれども、理解しておかねばならないことは、
活性物質214として示されているものと類似もしくは同一の活性物質の層を、電流コレク
ター212の両側に設けることもできるし、あるいはこうした層で電流コレクター212の両側
の表面を被覆することもできる、という点である。
【００３２】
図3に示されているように、層214は、一次活性物質216と二次もしくは補助活性物質218
を含む。代表的な実施態様によれば、一次活性物質216と二次活性物質218は別個の層とし
て組み込まれているように示されているけれども、一次活性物質216と二次活性物質218は
、これらの物質が混合された単一の活性物質層として供給することもできる、ということ
は言うまでもない(たとえば、図4に示されている代表的な実施態様を参照;本実施態様に
おいては、層214が、一次活性物質216と二次活性物質218の療法を含む)。結合剤物質を、
活性物質214の層と組み合わせて使用して、種々の電極部材を接合もしくは団結させるこ
ともできる。たとえば、代表的な実施態様によれば、活性物質の層は、カーボンブラック
等の導電性添加剤、およびフッ化ポリビニリジン(PVDF)やエラストマーポリマー等の結合
剤を含んでよい。
【００３３】
代表的な実施態様によれば、一次活性物質216は、リチウムを含んだ物質または化合物
である。一次活性物質216中に含まれているリチウムは、それぞれ、電池の放電時と充電
時においてドーピングおよび脱ドーピングすることができる。代表的な実施態様によれば
、一次活性物質216は酸化リチウムコバルト(LiCoO2)である。他の代表的な実施態様によ
れば、正極活性物質は式LiCoxNi(1-x)O2の物質であって、このときxは約0.05〜0.8である
。他の代表的な実施態様によれば、一次活性物質は式LiAlxCoyNi(1-x-y)O2の物質であっ
て、このときxは約0.05〜0.3であり、yは約0.1〜0.3である。他の代表的な実施態様によ
れば、一次活性物質はLiMn2O4を含んでよい。
【００３４】
他の種々の代表的な実施態様によれば、一次活性物質は、式Li1-xMO2(式中、Mは金属で
ある)の物質(たとえば、LiCoO2、LiNiO2、およびLiMnO2);式Li1-w(M’xM”y)O2(式中、M
’とM”は異なった金属である)の物質〔たとえば、Li(NixMny)O2、Li(Ni1/2Mn1/2)O2、Li
(CrxMn1-x)O2、Li(AlxMn1-x)O2、Li(CoxM1-x)O2、Li(CoxNi1-x)O2、およびLi(CoxFe1-x)O
2〕;式Li1-w(MnxNiyCoz)O2の物質〔たとえば、LiCoxMnyNi(1-x-y)O2、Li(Mn1/3Ni1/3Co1/
3)O2、Li(Mn1/3Ni1/3Co1/3-xMgx)O2、Li(Mn0.4Ni0.4Co0.2)O2、およびLi(Mn0.1Ni0.1Co0.
8)O2〕;式Li1-w(MnxNixCo1-2x)O2の物質;式Li1-w(MnxNiyCozAlw)O2の物質;式Li1-w(NixCo
yAlz)O2の物質〔たとえば、Li(Ni0.8Co0.15Al0.05)O2〕;式Li1-w(NixCoyMz)O2(式中、Mは
金属である)の物質;式Li1-w(NixMnyMz)O2(式中、Mは金属である)の物質;式Li(Nix-yMnyCr
2-x)O4の物質;LiMn2O4;式LiM’M”2O4(式中、M’とM”は異なった金属である)の物質(た
とえば、LiMn2-y-zNiyO4、LizO4、LiMn1.5Ni0.5O4、LiNiCuO4、LiMn1-xAlxO4、LiNi0.5Ti
0.5O4、およびLi1.05Al0.1Mn1.85O4-zFz);Li2MnO3;式LixVyOzの物質(たとえば、LiV3O8、
LiV2O5、およびLiV6O13);式LiMPO4(式中、Mは金属である)またはLiM’xM”1-xPO4(式中、
M’とM”は異なった金属である)の物質〔たとえば、LiFePO4、LiFexM1-xPO4、LiVOPO4、
およびLi3V2(PO4)3〕;LiMPO4x(式中、Mは鉄やバナジウム等の金属であり、xはフッ素等の
ハロゲンである);ならびにこれらの組み合わせ物;等の物質を含んでよい。
【００３５】
二次活性物質218は、負極220の一部として組み込まれた負電流コレクター222〔および/または、負電流コレクターが電気的に接続されているか、あるいは電気的に連通している他のあらゆる物質(たとえば、電池のためのケースやハウジング)〕に使用されている物質の腐食電位より低くて一次活性物質216の分解電位より高い電位で比較的大きいサイクル可能な充放電能力(すなわち、サイクル可能能力)を有するように選定された物質である。たとえば、負電流コレクター222が銅を含む場合の代表的な実施態様によれば(この場合、腐食電位は約3.5ボルトである)、二次活性物質218は、3.5ボルト未満の大きな充放電容量を含む。
【００３６】
二次活性物質218は、電気化学的に活性なリチウムを構成されたままの状態(as-constructed state)で含有する。種々の代表的な実施態様によれば、二次活性物質は、下記のような物質およびこれら物質の組み合わせ物のリチウム化形であってよい:V2O5;V6O13;LiMn2O4(スピネル);LiMxMn(2-x)O4(スピネル)(式中、Mは、Liを含めた金属であり、xは約0.05〜0.4である);Li4Ti5O12;LixVO2(式中、xは約0〜1である);V3O8;MoO3;TiS2;WO2;MoO2;およびRuO2。
【００３７】
二次活性物質218が、電気化学的にサイクル可能なリチウムを供給されたままの状態(as-provided state)で含まない場合は、電気化学的にサイクル可能なリチウムを二次活性物質218に加えてからセルに製造することができる。リチウムは、化学的もしくは電気化学的プロセスによって加えることができる。このようなプロセスは、ブチルリチウムの添加、あるいは、金属リチウムとの、もしくはリチウムを含有していて、二次活性物質のそれより低い電気化学ポテンシャルを有する他の任意のリチウム源との電気的接触(および、必要に応じて、電解質を加えてプロセスを活性化させること)を含んでよい。他の代表的な実施態様によれば、プロセスは、前駆体二次物質がカソード電位に分極され、この電位において、電解質中に存在するリチウムイオンが前駆体物質中に挿入される、という電解プロセスであってもよい。理解しておかなければならないことは、電気化学的にサイクル可能なリチウムは、負電流コレクター(および、負電流コレクターが電気的に連結されているあらゆる物質)の腐食電位の電位より低い電位でリチウムを不可逆的に供与するところの、リチウムアルミニウム化合物、リチウムスズ化合物、リチウムケイ素化合物のようなリチウム金属間化合物、または他の類似の化合物などの、リチウム含有化合物を加えることによって添加され得る、ということである。
【００３８】
代表的な実施態様によれば、電気化学的活性またはサイクル可能なリチウムは、微細も
しくは粉末状のリチウムとして加えることができる。このような粉末状リチウムは、粉末
状リチウムと空気および湿気との反応性を低下させるために、その上に施された不動態化
コーティング(たとえば、炭酸リチウムの薄い層またはフィルム)を含んでよい。このよう
な物質は、二次活性物質に施してセルを作製する前に二次活性物質と混合することもでき
るし、あるいは他の別個の活性物質層として加えることもできる。代表的な実施態様によ
れば、微細もしくは粉末状のリチウム粒子は約1μm〜約100μmの直径を有し、特定の実施
態様によれば、約5μm〜約30μmの直径を有する。
【００３９】
正極210の二次活性物質218中に含まれているリチウムは、負電流コレクターおよび/または負電流コレクターが電気的に連結されている電池部材(たとえばケース)の腐食電位より低くて正極活性物質の分解電位より高い電位で相当程度の充/放電能力を有する。二次活性物質は、電気的に活性なリチウムを、構成されたままの状態で含有する。リチウムは、負電流コレクター222に対する腐食電位より低い電位にてかなりドーピングされるようになる。ドーピングされると、この物質は、放電状態における正極の最終電位を低下させ、したがってゼロ電圧交差電位は、負電流コレクターと電池ケースの腐食電位より下のままである。二次活性物質は、電池が充電されるとリチウムを放出することができる。
【００４０】
理解しておかなければならないことは、種々の物質が二次活性物質218に対して有用で
あると説明してきたが、このような物質のほかに、あるいはこのような物質の代わりに、
さらに他の種々の物質を使用することができる、という点である。たとえば、二次活性物
質は、LixMoO3(0<x≦2)、LixMoO2(0<x≦1)、LixMo2O4(0<x≦2)、LixMnO2(0<x≦1)、LixMn
2O4(0<x≦2)、LixV2O5(0<x≦2.5)、LixV3O8(0<x≦3.5)、LixV6O13(LixVO2.19に対しては0
<x≦6、およびLixVO2.17に対しては0<x≦3.6)、LixVO2(0<x≦1)、LixWO3(0<x≦1)、LixWO
2(0<x≦1)、LixTiO2(アナターゼ)(0<x≦1)、LixTi2O4(0<x≦2)、LixRuO2(0<x≦1)、LixFe
2O3(0<x≦2)、LixFe3O4(0<x≦2)、LixCr2O(0<x≦3)、LixCr(0<x≦3.8)、およびLixNiyCo1
-yO2(0<x≦1、0.90<y≦1.00)(式中、xは、これらの物質が、電池の最初の充電時において
、負電流コレクターの腐食電位未満で脱ドーピングされるようになるリチウムをほとんど
又は全く含まないように選定される)の1種以上等の酸化物物質を含んでよい。
【００４１】
他の代表的な実施態様によれば、二次活性物質は、LixV2S5(0<x≦4.8)、LixTaS2(0<x≦
1)、LixFeS(0<x≦1)、LixFeS2(0<x≦1)、LixNbS3(0<x≦2.4)、LixMoS3(0<x≦3)、LixMoS2
(0<x≦1)、LixTiS2(0<x≦1)、LixZrS2(0<x≦1)、LixFe0.25V0.75S2(0<x≦1)、LixCr0.75V
0.25S2(0<x≦0.65)、およびLixCr0.5V0.5S2(0<x≦1)(式中、xは、これらの物質が、電池
の最初の充電時において、負電流コレクターの腐食電位未満で脱ドーピングされるように
なるリチウムをほとんど又は全く含まないように選定される)の1種以上等の硫化物物質を
含んでよい。
【００４２】
他の代表的な実施態様によれば、二次活性物質は、LixNbSe3(0<x≦3)やLixVSe2(0<x≦1
)の1種以上等のセレン化物物質を含んでよい。他の種々の物質〔たとえば、LixNiPS3(0<x
≦1.5)やLixFePS3(0<x≦1.5)(式中、xは、これらの物質が、電池の最初の充電時において
、負電流コレクターの腐食電位未満で脱ドーピングされるようになるリチウムをほとんど
又は全く含まないように選定される)〕も使用することができる。
【００４３】
代表的な実施態様によれば、活性物質の層214の厚さは約0.1μm〜約3mmである。他の代
表的な実施態様によれば、活性物質の層214の厚さは約25μm〜約300μmである。特定の代
表的な実施態様によれば、活性物質の層214の厚さは約75μmである。一時活性物質216と
二次活性物質218が別個の活性物質層としてもたらされるという実施態様においては、一
次活性物質216の厚さは約25μm〜約300μm(特定の実施態様によれば約75μm)であり、一
方、二次活性物質218の厚さは約5μm〜約60μm(特定の実施態様によれば約10μm)である
。
【００４４】
二次活性物質218の添加量は、当該物質からサイクルできるリチウムの電気化学的当量(
すなわち容量)によって決定される。代表的な実施態様によれば、この量は実際にはかな
り少ない。なぜならこのことにより、電池の平均作動電圧(したがってエネルギー密度)が
低下する量が最小限に抑えられるからである。他の代表的な実施態様によれば、この量は
、少なくとも、負極活性物質の不可逆容量と正極活性物質の不可逆容量との差に等しい。
【００４５】
負極220の一部として含まれる負電流コレクター222は、金属等の導電性物質で造られて
いる。代表的な実施態様によれば、電流コレクター222は、銅もしくは銅合金である。他
の代表的な実施態様によれば、電流コレクター222は、チタンもしくはチタン合金である
。他の代表的な実施態様によれば、電流コレクター222は、ニッケルもしくはニッケル合
金である。負極活性物質224が炭素ではないという他の代表的な実施態様によれば、電流
コレクター222は、アルミニウムもしくはアルミニウム合金である。理解しておかなけれ
ばならないことは、負電流コレクター222は、薄い箔物質として説明されているけれども
、正電流コレクターは、種々の代表的な実施態様にしたがって他の種々の構造物のいずれ
を有してもよい、という点である。たとえば、正電流コレクターは、メッシュグリッド、
エキスパンデッドメタルグリッド、または光化学エッチンググリッド等のグリッドであっ
てよい。
【００４６】
代表的な実施態様によれば、電流コレクター222の厚さは約100nm〜約100μmである。他
の代表的な実施態様によれば、電流コレクター222の厚さは約5μm〜約25μmである。特定
の代表的な実施態様によれば、電流コレクター222の厚さは約10μmである。
【００４７】
負電流コレクター222は、負極活性物質224をその上に設けている。図3は、活性物質の
層214が、電流コレクター212の一方の側だけに設けられていることを示しているけれども
、理解しておかねばならないことは、活性物質214として示されているものと類似もしく
は同一の活性物質の層を、電流コレクター222の両側に設けることもできるし、あるいは
こうした層で電流コレクター222の両側の表面を被覆することもできる、という点である
。
【００４８】
代表的な実施態様によれば、負極活性物質は炭素質物質(たとえばカーボン)である。他
の代表的な実施態様によれば、負極活性物質224は、Li4Ti5O12等のチタン酸リチウム物質
である。負極活性物質として使用するのに適した他のチタン酸リチウム物質としては、下
記のようなチタン酸リチウムスピネル物質の1種以上がある:HxLiy-xTiOxO4、Li4MxTi5-xO
12、LixTiyO4、Li4[Ti1.67Li0.33-yMy]O4、Li2TiO3、Li4Ti4.75V0.25O12、Li4Ti4.75Fe0.
25O11.88、Li4Ti4.5Mn0.5O12、およびLiM’M”XO4(式中、M’は、ニッケル、コバルト、
鉄、マンガン、バナジウム、銅、クロム、モリブデン、ニオブ、またはこれらの組み合わ
せ物等の金属であり;M”は、任意の三価の非遷移金属であり;Xは、ジルコニウム、チタン
、またはこれら2種の組み合わせ物である)。このようなチタン酸リチウムスピネル物質は
、どのようなリチウム化状態(たとえばLi4+xTi5O12、このとき0≦x≦3)であっても使用す
ることができる。
【００４９】
炭素質物質の代わりにチタン酸リチウム物質を使用することの他の利点は、チタン酸リ
チウム物質を使用すると、炭素質物質を使用した場合より高い速度での電池の充電と放電
が可能になると考えられる、という点である。チタン酸リチウム物質はさらに、いわゆる
“ゼロ歪み”物質であるので、優れたサイクル寿命をもたらすと考えられる。ゼロ歪み物
質は、リチウムのドーピング/脱ドーピングによって収縮を受けない結晶格子を有し、し
たがってゼロ歪み物質は、歪みに関連した分解メカニズムを示さない。他の代表的な実施
態様によれば、負極活性物質224は、炭素、LixAl、LixSn、LixSi、LixSnO、金属ナノ粒子
複合物(たとえば、LixAl、LixSn、LixSi、もしくはLixSnOを含む)、または炭素で被覆さ
れたチタン酸リチウムであってよい。
【００５０】
チタン酸リチウム物質を使用することの他の有利な特徴は、チタン酸リチウム物質がリ
チウムイオン電池の負極に使用されると、このような物質は、リチウム基準電極に対して
約1.55ボルトの電位プラトー(a potential plateau)にてリチウムをサイクルすると考え
られる、という点である。この値は、従来からリチウムイオン電池に使用されていて、フ
ル充電状態にてリチウムを約0.1ボルトにまでサイクルする黒鉛状炭素の場合よりかなり
高い。したがって、チタン酸リチウムを使用している電池は、充電時にリチウムのプレー
ティング(リチウム基準電極に対して0ボルトにて起こる)が起こりにくいと考えられる。
リチウムのプレーティングは、リチウムイオン電池の性能低下を引き起こすことがあるよ
く知られている現象である。リチウムのプレーティングというリスクがないので、チタン
酸リチウムの負極を有するセルは、炭素の負極を有するセルより高い速度で充電すること
ができる。たとえば、リチウムイオン電池の充電速度に対する通常の上限は約1Cである(
電池を、放電状態から1時間でフル充電することができる、ということを意味している)。
これに反して、文献においては、チタン酸リチウムは、最大10Cの速度で充電することが
できる〔すなわち、1/10時間(6分)でフル充電が達成される〕、と報告されている。電池
をより速やかに再充電することができるということは、このような電池を使用するデバイ
スの機能性を大幅に高める。チタン酸リチウム物質がもたらすより高い電位のさらなる利
点は、リチウムイオン電池において通常使用される有機溶媒(たとえばプロピレンカーボ
ネート)の分解を防止する、という点である。そうすることで、チタン酸リチウム物質は
、ガスの形成、セルの膨潤、可逆性電池容量の低下、および電池パワーを低下させる抵抗
性フィルムの生成等のマイナスの影響を低減させる。
【００５１】
さらに、結合剤物質を活性物質の層224と組み合わせて使用することができる。たとえ
ば、代表的な実施態様によれば、活性物質の層は、カーボンブラック等の導電性添加剤、
およびフッ化ポリビニリジン(PVDF)やエラストマーポリマー等の結合剤を含んでよい。
【００５２】
種々の代表的な実施態様によれば、活性物質224の厚さは約0.1μm〜約3mmである。他の
代表的な実施態様によれば、活性物質224の厚さは約25μm〜約300μmである。他の代表的
な実施態様によれば、活性物質224の厚さは約20μm〜約90μmであり、特定の代表的な実
施態様によれば、活性物質224の厚さは約75μmである。
【００５３】
図5は、図3に関して説明したような代表的な実施態様にしたがって作製したリチウムイ
オン電池に対する理論的な充放電挙動を示しているグラフ300である。曲線310は、LiCoO2
一次活性物質と二次活性物質をその上に設けたアルミニウム電流コレクターを含んだ正極
(たとえば正極210)に関して、リチウム基準電極に対する電極電位を示している。
【００５４】
二次活性物質は、負電流コレクターの腐食電位(点線322で示す)より低くて、LiCoO2一
次活性物質の分解電位(点線312で示す)より高い相当程度の充放電容量をもたらすように
選定される。種々の代表的な実施態様によれば、二次活性物質は、下記の物質およびこれ
ら物質の組み合わせ物のリチウム化形であってよい:V2O5、V6O13、LiMn2O4(スピネル)、L
iMxMn(2-x)O4(スピネル)〔式中、Mは金属(Liを含む)であり、xは約0〜2である〕、Li5Ti4
O12、LixVO2、V3O8、MoO3、TiS2、WO2、MoO2、およびRuO2。
【００５５】
曲線320は、チタン酸リチウム活性物質(すなわちLi4Ti5O12)をその上に設けた銅電流コ
レクターを含んだ充電時の負極に関して、リチウム基準電極に対する電極電位を示してい
る。曲線310と320との間の差が電池の全セル電圧を表わしている。
【００５６】
図5に示されているように、フル容量に初期充電すると、正極の電位(曲線310で示す)は
、約2.1ボルト(ポイント311として示す)から、負電流コレクターを作製するのに使用され
る銅の腐食電位(点線322で示す)より上のポイントまで増大する。負極の電位は、約3.0ボ
ルトから、正電流コレクター上に設けられたLiCoO2活性物質の分解電位(点線312で示す)
より下のポイントまで減少する。代表的な実施態様によれば、銅の腐食電位は約3.5ボル
トである。LiCoO2活性物質の予測分解電位は約1.6ボルトである。実験的に観察された代
表的な実施態様によれば、LiCoO2活性物質の分解電位は約1.35ボルトである。
【００５７】
引き続き電池を放電すると、負極の電位はライン326で示される経路に従う。しかしながら二次活性物質は、負電流コレクターの腐食電位より低くてLiCoO2一次活性物質の分解電位より高い電位で相当程度の充放電能力を有するように選定されるので、そして負電流コレクター上にLi4Ti5O12活性物質が設けられているので、ゼロ電圧交差電位(ポイント330として示す)は、負電流コレクターの腐食電位より低くて、LiCoO2一次活性物質の分解電位より高く、したがって、負電流コレクターの腐食(そして恐らくは電池ケースの腐食)およびこれに関連した電池充電容量の低下が防げる。
【００５８】
正電流コレクター上に設けられた一次活性物質と二次活性物質(たとえば、一次活性物
質216と二次活性物質218)の充放電挙動が、図5における曲線310の2つの部分として示され
ている。曲線310の部分314は、一次活性物質(すなわちLiCoO2)のドーピングと脱ドーピン
グによる、正極の充放電挙動を示しており、曲線310の部分316は、二次活性物質(すなわ
ち、リチウム化されたV6O13やLiMn2O4等)のドーピングと脱ドーピングによる、正極の充
放電挙動を示している。電池を充電すると、正極の電位は、ポイント311(約2.1ボルトに
相当する)にてスタートし、充電が進行するにつれてグラフにおける右方向に進む。引き
続き電池を放電すると、正極の電位は、曲線310の部分314から曲線310の部分316に進むよ
うに、グラフにおいて右から左へと進む。
【００５９】
本明細書に記載のようなリチウムイオン電池は、両方の電極(これらに対応した電流コ
レクターを含む)に対する物質が安定のままで完全に放電することができる(たとえば、電
流コレクターの腐食、および/または、活性物質の分解を防止することができる)、と考え
られる。このような集成体の1つの有望で有利な特徴は、デバイス機能の低下(すなわち、
より頻繁に再充電する必要性が生じる)および電流コレクターと電池ケースの腐食(腐食性
で毒性の電池内容物が漏出するおそれが生じる)を軽減もしくは防止することができる、
という点である。このような集成体の他の有利な特徴は、電池性能を大幅に低下させるこ
となく、電池を、ほぼゼロ電圧の状態に繰り返しサイクルできる(すなわち充放電できる)
という点である。
【００６０】
本明細書に記載のような電池を使用することによって、種々の有利な特徴を得ることが
できる。たとえば、このような電池を使用すると、ほぼゼロ電圧の状態に近づいている電
池を切り離すための回路を使用する必要がなくなる。こうした機能に対する回路を使用し
ないことで、体積とコストの低減がはかれる。
【００６１】
代表的な実施態様によれば、上記のようなリチウムイオン電池は、医療デバイス〔たと
えば、ヒトの体内に埋め込むことができる医療デバイス(“埋め込み可能な医療デバイス
”または“IMD”と呼ばれている)〕と組み合わせて使用することができる。
【００６２】
図6は、患者430のボデイーまたは胴体432内に埋め込まれたシステム400(たとえば、埋
め込み可能な医療デバイス)の概略図を示している。システム400は、埋め込み可能な医療
デバイスの形態のデバイス410〔例示のため、患者430に対して、治療高電圧(たとえば700
ボルト)処置をもたらすよう造られた除細動器として示されている〕を含む。
【００６３】
代表的な実施態様によれば、デバイス410は、密封されていて生物学的に不活性な容器
もしくはハウジング414を含む。この容器は、導電性物質で造られていてよい。1つ以上の
リード線416が、デバイス410を、静脈422を介して患者の心臓420に電気的に連結している
。心臓の活動を検知するように、および/または、心臓420に電位をもたらすように、電極
417が設けられる。リード線416の少なくとも一部(たとえば、露出電極417として示されて
いるリード線の終端部)を、心臓420の心室と心房の1つ以上に隣接した状態で、あるいは
接触させた状態で設けることができる。
【００６４】
デバイス410は、デバイス410に電力を供給すべくその内部に設けられた電池450を含む
。他の代表的な実施態様によれば、電池450は、デバイスに対して外部に設けることもで
きるし、あるいは患者430に対して外部に設けることもできる(たとえば、電池の除去、電
池の交換、および/または、電池の充電を可能にするために)。電池450のサイズと容量は
、ある特定の患者の身体特性もしくは医療特性に対して必要とされる充電の量、デバイス
のサイズもしくは構造、および多様な他のファクターのいずれか、を含めた多くのファク
ターに基づいて選定することができる。代表的な実施態様によれば、電池は5mAhの電池で
ある。他の代表的な実施態様によれば、電池は300mAhの電池である。他の種々の代表的な
実施態様によれば、電池は約10mAh〜約100mAhの容量を有してよい。
【００６５】
他の代表的な実施態様によれば、デバイス410に電力を供給するために2つ以上の電池を
設けることができる。このような代表的な実施態様によれば、電池は同じ容量を有しても
よいし、あるいは電池の1つ以上が、他の電池より高い、または低い容量を有してもよい
。たとえば、代表的な実施態様によれば、電池の1つが約500mAhの容量を有し、別の電池
が約75mAhの容量を有してよい。
【００６６】
図7に示されている他の代表的な実施態様によれば、埋め込み可能な神経刺激デバイス5
00〔埋め込み可能なニューロ・スティムレータ(implantable neuro stimulator)またはIN
S〕は、種々の代表的な実施態様に関して記載したような電池502を含んでよい。幾つかの
神経刺激製品とそれに関連した部品の例が、メドトロニック社(Medtronic,Inc)から入手
できる“埋め込み可能な神経刺激システム”と題するパンフレット中に説明されている。
【００６７】
INSは、ヒトの神経系統や臓器に影響を与えるのに使用される1つ以上の電気刺激信号を
生じる。リード線の遠位端に設けてある電気接点を所望の刺激部位(たとえば、脊椎や脳)
に配置し、リード線の近位端をINSに接続する。次いでINSを個体中に(たとえば、腹部、
胸部、または上臀部における皮下ポケット中に)外科的に埋め込む。臨床医が、プログラ
マーを使用してINSに療法のプログラムを組み込む。この療法は、特定の患者の治療に対
する刺激信号のパラメーターを形成する。痛み、失禁、運動障害(癲癇やパーキンソン病
など)、および睡眠時無呼吸等の疾病を処置するのにINSを使用することができる。種々の
生理学的状態、心理学的状態、および感情状態を処置するためのさらなる療法も有望であ
ると思われる。治療がなされるようINSを埋め込む前に、一般には、INS機能の一部もしく
は全てを繰り返す外部スクリーナーを患者に接続して、推奨された療法の有効性を評価す
る。
【００６８】
INS500は、リード・エクステンション(a lead extension)522とスティムレーション・
リード(a stimulation lesd)524を含む。スティムレーション・リード524は、コネクター
532を近位端に、そして電気接点(図示せず)を遠位端に有する1つ以上の絶縁導体である。
幾つかのスティムレーション・リードは、患者に経皮的に挿入されるよう設計されており
〔たとえば、ミネソタ州ミネアポリスのメドトロニック社から市販のモデル3487A Pisces
-Quad(登録商標)〕、また幾つかのスティムレーション・リードは、外科的に埋め込まれ
るように設計されている〔たとえば、メドトロニック社から市販のモデル3998Specify(登
録商標)リード〕。
【００６９】
リード・コネクター532はINS500に直接接続することができる(たとえば、ポイント536
において)けれども、一般にはリード・エクステンション522に接続する。次いでリード・
エクステンション522(たとえば、メドトロニック社から市販のモデル7495)をINS500に接
続する。
【００７０】
INS520の埋め込みは、通常は患者を局所麻酔にて処置しながら、少なくとも1つのステ
ィムレーション・リード524を埋め込むことからスタートする。スティムレーション・リ
ード524は、経皮的に埋め込むこともできるし、あるいは外科的に埋め込むこともできる
。スティムレーション・リード524が埋め込まれて配置されたら、一般には、スティムレ
ーション・リード524の遠位端を所定の位置に固定して、埋め込み後のスティムレーショ
ン・リード524の移動をできるだけ抑える。スティムレーション・リード524の近位端は、
リード・エクステンション522に接続されるように造り上げることができる。
【００７１】
INS500に療法のプログラムが組み込まれ、患者に対する療法を最適化するためにしばし
ば療法が変更される(すなわち、ある特定の状況において適切な療法が施されるよう、INS
に複数の療法プログラムを組み込むことができる)。電池502が再充電を必要とするという
場合には、外部リード(図示せず)を使用して、電池を充電デバイスもしくは充電装置に電
気的に連結することができる。
【００７２】
医師または患者が種々の療法を管理することができるよう、医師プログラマー(a physi
cian programmer)と患者プログラマー(a patient programmer)(図示せず)を設けることも
できる。医師プログラマー(コンソールプログラマーとしても知られている)は、埋め込ま
れたINS500と交信するのに遠隔測定法を使用し、したがって臨床医は、INS500に保存され
た患者の療法をプログラム・管理することができ、患者のINS500システムに対処すること
ができ、および/またはデータを修正することができる。医師プログラマーの1つの例は、
メドトロニック社から市販のモデル7432コンソールプログラマーである。患者プログラマ
ーも、INS500と交信するのに遠隔測定法を使用し、したがって患者は、臨床医によって規
定されている療法の幾つかの態様を管理することができる。患者プログラマーの1つの例
は、メドトロニック社から市販のモデル7434Itrel(登録商標)3EZ患者プログラマーである
。
【００７３】
本明細書に記載の医療デバイス(たとえば、システム400やシステム500)は、除細動器や
神経刺激デバイスとして説明されているけれども、理解しておかねばならないことは、他
のタイプの埋め込み可能な医療デバイスも、他の代表的な実施態様にしたがって使用する
ことができるという点である〔たとえば、種々の健康食物(health ailments)の悪影響を
軽減するためのペースメーカー、電気除細動器、心収縮モジュール、薬物投与デバイス、
診断レコーダー、および蝸牛インプラントなど〕。さらに他の実施態様によれば、埋め込
みできない医療デバイスまたは他のタイプのデバイスは、本明細書に記載の電池を使用す
ることができる。
【００７４】
さらに、本明細書に記載の医療デバイスは、患者の体内に埋め込まれたときに充電もし
くは再充電できるように意図されている。すなわち、代表的な実施態様によれば、医療デ
バイスを充電もしくは再充電するために、医療デバイスを患者から切り離したり、取り除
いたりする必要がない。たとえば、磁気誘導を使用して、エネルギーを体外から埋め込ま
れた電池に供給するという経皮的エネルギー移動(TET)を使用することができ、この場合
、埋め込まれた電池に対して直接物理的に接触させる必要はなく、またインプラントのい
かなる部分も患者の皮膚から突き出る必要はない。他の代表的な実施態様によれば、電池
を充電もしくは再充電するために充電デバイスに電気的に連結することができるコネクタ
ーを、患者の体の外部に設けることができる。他の代表的な実施態様によれば、電池を充
電もしくは再充電するために患者からの取り外しまたは分離を必要としてよい医療デバイ
スを設けることもできる。
【００７５】
理解しておかなければならないことは、本発明の開示内容は、リチウムイオン電池を種
々の医療デバイスと共に使用することを説明しているけれども、このような電池は、コン
ピュータ(たとえば、ラップトップコンピュータ)、電話機〔たとえば、携帯電話(cellula
r phones)、携帯電話(mobile phones)、またはコードレス電話〕、自動車、およびリチウ
ムイオン電池の形態にてパワーを供給するのが有利である他の任意のデバイスもしくは用
途を含めた、他の種々の用途においても使用できる、という点である。
【００７６】
さらに、理解しておくのが大切なことは、種々の代表的な実施態様に関して説明してき
たリチウムイオン電池の構造と配列は単に例示のためのものである、という点である。本
発明の幾つかの実施態様だけを詳細に説明してきたが、この開示内容を考察する当業者は
、特許請求の範囲に記載の主題の新規開示内容および利点から実質的に逸脱することなく
多くの改良や変更(たとえば、サイズ、寸法、構造、形状、および種々の成分の比率を変
えること、パラメーターの値、集成体を据え付けること、種々の材料や着色剤の使用、な
らびに配向など)が可能である、ということを容易に理解するであろう。したがってこの
ような改良や変更は全て、特許請求の範囲に規定されている本発明の範囲内に含まれる。
特許請求の範囲に記載の本発明の範囲を逸脱することなく、好ましい他の代表的な実施態
様のデザイン、操作条件、および集成体に関して、他の置き換え物(substitutions)、改
良物、変更物、および省略物を作製することができる。
【００７７】
１．正電流コレクター、第1の活性物質、および第2の活性物質を含んだ正極；ならびに
負電流コレクターと第3の活性物質を含んだ負極、第3の活性物質はチタン酸リチウム物質を含む；
を含み、第2の活性物質が、負電流コレクターの腐食電位より低くて、第1の活性物質の分解電位より高い充放電容量を示すリチウムイオン電池。
２．第3の活性物質がLi4Ti5O12を含む、1に記載のリチウムイオン電池。
３．正極と負極が、負電流コレクターの腐食電位より低くて、第1の活性物質の分解電位より高いゼロ電圧交差電位を有する、1または2に記載のリチウムイオン電池。
４．第1の活性物質がリチウムを含む、1〜3のいずれか一項に記載のリチウムイオン電池。
５．第1の活性物質がLiCoO2を含む、4に記載のリチウムイオン電池。
６．第1の活性物質が、LiCoxNi(1-x)O2またはLiNixCoyAlzO2の形態の物質を含む、1〜4のいずれか一項に記載のリチウムイオン電池。
７．第1の活性物質が、LiAlxCoyNi(1-x-y)O2の形態の物質を含む、1〜4のいずれか一項に記載のリチウムイオン電池。
８．負電流コレクターが、銅、チタン、ニッケル、およびアルミニウムの少なくとも1種を含む、1〜7のいずれか一項に記載のリチウムイオン電池。
９．第2の活性物質がV6O13またはLiMn2O4のリチウム化形を含む、1〜8のいずれか一項に記載のリチウムイオン電池。
１０．第2の活性物質が、V2O5、Li5Ti4O12、LixVO2、V3O8、MoO3、TiS2、WO2、MoO2、RuO2、LiMxMn(2-x)O4、およびこれらの組み合わせ物のリチウム化形からなる群から選択される物質を含む、1〜9のいずれか一項に記載のリチウムイオン電池。
１１．xが約0.05〜約0.3であって、yが約0.1〜約0.3である、7に記載のリチウムイオン電池。
１２．リチウムイオン電池が約10mAh〜約1000mAhの容量を有する、1〜11のいずれか一項に記載のリチウムイオン電池。
１３．リチウムイオン電池が、引き続き再充電したときに、電池容量の低下を起こすことなくほぼゼロ電圧の状態に放電することができる、1〜12のいずれか一項に記載のリチウムイオン電池。
１４．医療デバイス中に組み込まれる、1〜13のいずれか一項に記載のリチウムイオン電池。
１５．医療デバイスの少なくとも一部が患者の体内に埋め込まれるように設計されている、14に記載のリチウムイオン電池。
１６．リチウムイオン電池を含んだ医療デバイスの一部が患者の体内に埋め込まれ、リチウムイオン電池を患者の体から取り出すことなくリチウムイオン電池を充電することができる、15に記載のリチウムイオン電池。
１７．医療デバイスが、神経刺激デバイス、細動除去器、心臓ペースメーカー、心収縮モジュール、心収縮モジュレータ、電気除細動器、薬物投与デバイス、蝸牛インプラント、補聴器、センサー、テレメトリーデバイス、および診断レコーダーからなる群から選択される、14に記載のリチウムイオン電池。
【図面の簡単な説明】
【００７８】
【図１】従来のリチウムイオン電池の概略断面図である。
【図２】図1に概略的に示されているような従来のリチウムイオン電池に対する理論的な充電挙動と放電挙動を示しているグラフである。
【図３】代表的な実施態様によるリチウムイオン電池の一部の概略断面図である。
【図４】他の代表的な実施態様によるリチウムイオン電池の一部の概略断面図である。
【図５】図3に示したようなリチウムイオン電池に対する理論的な充電挙動と放電挙動を示しているグラフである。
【図６】患者の体内もしくは胴体内に埋め込まれた埋め込み可能な医療デバイスの形態のシステムの概略図である。
【図７】埋め込み可能な医療デバイスの形態の、他のシステムの概略図である。
【図１】
0005646715.tif 000002
【図２】
0005646715.tif 000003
【図３】
0005646715.tif 000004
【図４】
0005646715.tif 000005
【図５】
0005646715.tif 000006
【図６】
0005646715.tif 000007
【図７】
0005646715.tif 000008